(57)【特許請求の範囲】
【請求項１】
通信ネットワーク内のネットワーク制御装置ノード（２０）に接続されたアクセスポイントのセル内にある移動局（１０）に緊急メッセージを送信するネットワーク制御装置ノード（２０）における方法であって、
前記移動局（１０）の情報を受信する工程（Ａ１）と、
前記受信した情報に基づいて、前記移動局（１０）のロケーションを決定する工程（Ａ２）と、
影響を受けるエリアを示すインジケータを含む緊急通報を受信する工程（Ａ３）と、
前記決定されたロケーションに基づいて、前記移動局（１０）が前記示された影響を受けるエリア内にいると判断する工程（Ａ４）と、
そうである場合には、前記セル内の前記移動局（１０）に、前記アクセスポイントを介して前記緊急メッセージを送信する工程（Ａ５）とを有し、
前記情報は、セル識別子、アクセスポイント識別子、ＩＰアドレス、ロケーションエリア識別子、追跡エリア識別子、ルーティングエリア識別子の内の１つ以上を有し、
前記ネットワーク制御装置ノードが汎用アクセスネットワーク制御装置（ＧＡＮＣ）である場合、前記ＧＡＮＣはＧＡＮ登録或いはＧＡＮ登録更新手順において前記情報を受信し、前記ネットワーク制御装置ノードがフェムト基地局制御装置である場合、前記フェムト基地局制御装置は自動構成設定手順において前記情報を受信することを特徴とする方法。
【請求項２】
前記受信した前記移動局（１０）の情報は、前記移動局から直接に受信されることを特徴とする請求項１に記載の方法。
【請求項３】
前記受信した前記移動局（１０）の情報は、前記ネットワーク制御装置に情報を提供するフェムト基地局やセキュリティ・ゲートウェイから受信されたものであることを特徴とする請求項１に記載の方法。
【請求項４】
前記緊急メッセージは、現存するセル同報システムが必要とする情報に係わらず、複数の移動局（１０）に送信されることを特徴とする請求項１乃至３のいずれか１項に記載の方法。
【請求項５】
前記緊急メッセージは、前記緊急通報を含むことを特徴とする請求項１乃至４のいずれか１項に記載の方法。
【請求項６】
前記緊急通報は、地震津波警報システム（ＥＴＷＳ）の通報を含むことを特徴とする請求項１乃至５のいずれか１項に記載の方法。
【請求項７】
前記移動局が緊急メッセージの受信をサポートすることを示す前記移動局（１０）からの示唆を受信する工程をさらに有することを特徴とする請求項１乃至６のいずれか１項に記載の方法。
【請求項８】
前記セルは、マイクロ／ピコ／汎用エリアネットワーク／フェムトセルを含むことを特徴とする請求項１乃至７のいずれか１項に記載の方法。
【請求項９】
セルを有する少なくとも１つのアクセスポイントを制御するように構成されたネットワーク制御装置ノード（２０）であって、前記ネットワーク制御装置ノード（２０）は、前記ネットワーク制御装置ノードをコア通信ネットワークに接続し、影響を受けるエリアを示すインジケータを含む緊急通報を受信するように構成された第１のネットワークインタフェース（２０７）と、前記ネットワーク制御装置ノード（２０）を少なくとも１つのアクセスポイントに接続するように構成された第２のネットワークインタフェース（２０９）とを有しており、
前記ネットワーク制御装置ノードは
前記少なくとも１つのアクセスポイントの前記セル内にある移動局（１０）の情報を受信するように構成され、さらに、
前記受信した情報に基づいて前記移動局（１０）のロケーションを決定し、前記決定されたロケーションに基づいて、前記移動局（１０）が前記示された影響を受けるエリア内にいると判断し、そうである場合には、前記移動局（１０）に、前記アクセスポイントを介して前記第２のネットワークインタフェース（２０９）により緊急メッセージを送信するよう構成された制御ユニット（２０１）とを有し、
前記情報は、セル識別子、アクセスポイント識別子、ＩＰアドレス、ロケーションエリア識別子、追跡エリア識別子、ルーティングエリア識別子の内の１つ以上を有し、
前記ネットワーク制御装置ノードが汎用アクセスネットワーク制御装置（ＧＡＮＣ）である場合、前記ＧＡＮＣはＧＡＮ登録或いはＧＡＮ登録更新手順において前記情報を受信し、前記ネットワーク制御装置ノードがフェムト基地局制御装置である場合、前記フェムト基地局制御装置は自動構成設定手順において前記情報を受信することを特徴とするネットワーク制御装置ノード。
【請求項１０】
前記受信した情報は、前記移動局（１０）から直接に前記第２のネットワークインタフェース（２０９）により受信されることを特徴とする請求項９に記載のネットワーク制御装置ノード。
【請求項１１】
前記受信した情報は、前記ネットワーク制御装置に前記第２のネットワークインタフェース（２０９）により情報を提供するフェムト基地局とセキュリティ・ゲートウェイとの内の少なくとも１つから受信されることを特徴とする請求項９に記載のネットワーク制御装置ノード。
【請求項１２】
前記制御ユニット（２０１）は、前記緊急メッセージを、現存するセル同報システムが必要とする情報に係わらず、移動局（１０）に送信することを特徴とする請求項９乃至１１のいずれか１項に記載のネットワーク制御装置ノード。
【請求項１３】
前記緊急メッセージは、前記緊急通報を含むことを特徴とする請求項９乃至１２のいずれか１項に記載のネットワーク制御装置ノード。
【請求項１４】
前記緊急通報は、地震津波警報システム（ＥＴＷＳ）の通報を含むことを特徴とする請求項９乃至１３のいずれか１項に記載のネットワーク制御装置ノード。
【請求項１５】
前記第２のネットワークインタフェース（２０９）はさらに、前記移動局が緊急メッセージの受信をサポートすることを示す前記移動局（１０）からの示唆を受信するよう構成されていることを特徴とする請求項９乃至１４のいずれか１項に記載のネットワーク制御装置ノード。
【請求項１６】
前記セルは、マイクロ／ピコ／汎用エリアネットワーク／フェムトセルを含むことを特徴とする請求項９乃至１５のいずれか１項に記載のネットワーク制御装置ノード。
【発明の詳細な説明】
【技術分野】
【０００１】
本発明は通信ネットワーク方法とノードに関し、特に、移動局に緊急メッセージを送信することに関する。
【背景技術】
【０００２】
今日、例えば、地震津波警報システム（ＥＴＷＳ）へのサポートを導入し、移動局を通して到来する地震と津波の少なくともいずれかについて警報を送信するのを可能にするために、異なるタイプの公衆警報システムを提供するための進行中の作業がある。ＥＴＷＳ警報の通報は、２つのタイプ、即ち、一次警報と二次警報とに分けられる。
【０００３】
ＥＴＷＳの一次警報は、差し迫った地震などの発生のような最も緊急の事態についてユーザに、数分ではなく数秒で通知するために送信される。４秒以内でＥＴＷＳ一次通報のメッセージをユーザ／移動局に到達させるための要件がある。混乱を引き起こす原因となる偽りのメッセージが受信されるのを回避するために、おそらくは初期通報に認証情報を含ませることが必要となる。その情報を認証するための代替案としては、デジタル署名の形式で、例えば、もしデジタル署名アルゴリズム（ＤＳＡ）の署名などを用いるなら４１バイトで、認証情報をもたせることである。
【０００４】
二次警報は、何をすれば良いかや、例えば、避難所への地図、食料分配の予定表などの援助をどこで得れば良いかなどの指示のような、それほど緊急性を要しない補足的な情報をユーザに与えるために送信される。
【０００５】
セル同報サービス（ＣＢＳ）に基づいた解決策がＥＴＷＳ警報の通報を送信するために想定されてきた。そこでは、ＥＴＷＳメッセージはセル内の全ての移動局に制御チャネルで同報される。
【０００６】
緊急メッセージサービスは影響を受けるエリア内にだけ警報メッセージを送信することを目的としている。また、無線アクセスネットワーク内のＥＴＷＳ警報の通報を送信することに関して、例えば、ＧＳＭ／ＥＤＧＥ無線アクセスネットワーク（ＧＥＲＡＮ）では、同報制御チャネルを通じてアイドルモードにあるユーザに、進行中の警報があることを通知することから構成されている。
【発明の概要】
【発明が解決しようとする課題】
【０００７】
しかしながら、マクロネットワークでその制御チャネルを聴取していない移動局は、それらが、例えば、汎用アクセスネットワーク（ＧＡＮ）のモードにいるものの、マクロネットワークで送信される警報通報を受信することはないであろう。
【０００８】
異なるフェムトセルを用いた解決策、例えば、ＧＳＭ、ＷＣＤＭＡ、ＬＴＥフェムトを用いた解決策などの場合にも、類似の問題が存在する。
米国特許出願公開第２００２／０１６０７４５号明細書は、ロケーションを意識した（Location-aware）無線移動体デバイスのためのロケーションを意識したプロトコルを開示している。
３ＧＰＰ  ＴＲ２３．８２８，ｖ１．０．０（２００８年６月）は、緊急情報のような情報をセルで同報する、ＢＳＣ、ＲＮＣ、ＥＰＳのような関係する高位のノードを突きとめる構成を開示している。
米国特許出願公開第２００３／０１４３９７４号明細書は、地理的なエリアを決定し、そのエリア内にいる移動局に緊急メッセージを送信する構成を開示している。
【０００９】
移動局に緊急警報の通報の効率的な配信を提供することが、本発明の実施例での目的である。
【課題を解決するための手段】
【００１０】
ここでの実施例は、通信ネットワーク内のネットワーク制御装置ノードに接続されたアクセスポイントのセル内にある移動局に緊急メッセージを送信するネットワーク制御装置ノードにおける方法に関するものである。そのネットワーク制御装置ノードは、前記移動局の情報を受信し、前記受信した情報に基づいて、前記移動局のロケーションを決定する。その情報は、セル識別子、アクセスポイント識別子、ＩＰアドレス、ロケーションエリア識別子、追跡エリア識別子、ルーティングエリア識別子の内の１つ以上を含む。さらに、そのネットワーク制御装置ノードは、影響を受けるエリアを示すインジケータを含む緊急通報を受信し、前記移動局が前記決定されたロケーションに基づいて、前記示された影響を受けるエリア内にいると判断する。そうである場合には、そのネットワーク制御装置ノードはそのとき、前記セル内の前記移動局に、前記アクセスポイントの基地局を介して前記緊急メッセージを送信する。
【００１１】
また、ここでの実施例は、セルを有する少なくとも１つのアクセスポイントを制御するように構成されたネットワーク制御装置ノードに関するものである。そのネットワーク制御装置ノードは、そのネットワーク制御装置ノードをコア通信ネットワークに接続し、影響を受けるエリアを示すインジケータを含む緊急通報を受信するように構成された第１のネットワークインタフェースを有する。さらに、そのネットワーク制御装置ノードは、前記ネットワーク制御装置ノードを少なくとも１つのアクセスポイントに接続するよう構成された第２のネットワークインタフェースを有する。さらに、そのネットワーク制御装置ノードは、前記少なくとも１つのアクセスポイントの前記セル内にある移動局の情報を受信するように構成され、前記受信した情報に基づいて前記移動局のロケーションを決定するよう構成された制御ユニットを有する。その情報は、セル識別子、アクセスポイント識別子、ＩＰアドレス、ロケーションエリア識別子、追跡エリア識別子、ルーティングエリア識別子の内の１つ以上を含む。その制御ユニットはさらに、前記決定されたロケーションに基づいて、前記移動局が前記示された影響を受けるエリア内にいると判断し、そして、そうである場合には、前記移動局に、前記アクセスポイントを介して前記第２のネットワークインタフェースにより緊急メッセージを送信するよう構成される。
【００１２】
ＥＴＷＳ警報通報は、マイクロ／ピコ／ＧＡＮセルのようなセルの移動局に対して、それら移動局が影響を受ける地理的なエリア内にいるときだけ送信される。同じことはフェムトセルにも適用される。即ち、影響を受ける地理的なエリア内にあるフェムトセルは、これらフェムトセルに一時的に滞留しているか、或いは、接続された移動局に対して、ＥＴＷＳ警報通報を転送するであろう。
【００１３】
次に実施例について添付図面と関連してより詳細に説明する。
【図面の簡単な説明】
【００１４】
【図１】代表的な緊急通報システムの概念図を示す。
【図２】代表的な緊急通報システムの概念図を示す。
【図３】ＧＡＮに登録された移動局の組み合わせられた方法とシグナリング方式を示す図である。
【図４】フェムトセルに登録された移動局の組み合わせられた方法とシグナリング方式を示す図である。
【図５】ネットワーク制御装置ノードの方法の図式的な概要図である。
【図６】ネットワーク制御装置ノードの図式的な概要図である。
【発明を実施するための形態】
【００１５】
以下では添付図面を参照して、本発明の実施例をより十分に説明する。ここでは本発明のいくつかの実施例を示す。しかしながら、本発明は多くの異なる形で実施することができ、ここに記述した実施例に限定されると解釈されるべきではない。むしろ、これらの実施例は、この開示が十分でかつ完全であるように提供されるものであり、これらの実施例により当業者に対して十分に本発明の範囲を伝えるものである。この明細書を通して、同様の番号は同様の構成要素に言及するものである。
【００１６】
ここで使用する用語は、具体的な実施例を説明する目的のみで使用しており、本発明を限定することを意図するものではない。ここで使用している単数形「１つの（ａ）」、「１つの（ａｎ）」、および、「その（ｔｈｅ）」は、文面が単数形であることを明確に述べている場合を除いて、複数形をも含んでいる。さらに以下のことが理解されるであろう。即ち、用語「有する」と「有している」とは、ここで、それらの用語を使用するときには、言及する特徴と、数値と、ステップと、動作と、構成要素と、構成素子との内の少なくともいずれかの存在を規定するものであるが、１つ以上の他の特徴と、数値と、ステップと、動作と、構成要素と、構成素子と、それらのグループとの内の少なくともいずれかの存在や追加を排除するものではない。
【００１７】
ここで使用する全ての用語（技術用語と科学用語とを含む）は、特に定義をしていない限り、本発明が属する分野の当業者によって共通に理解される意味と同じ意味を有する。また、以下の点がさらに理解されるであろう。即ち、ここで使用する用語は、この明細書の文脈と関連する技術における意味に矛盾しない意味を持つと解釈されるべきであり、また、ここで明確に定義しない限り、理想化した、または極度に形式的な意味を持つと解釈されてはならないことを理解されたい。
【００１８】
図１は緊急通報システムの模式的な概要を開示している。その通報システムは、セル同報センタ（ＣＢＣ）などのような、検出システムなどによりマニュアル的に創始された緊急通報を同報するよう構成された同報ノード（ＢＮ）３０を有している。
【００１９】
その緊急通報は、ＲＮＣ、ｅＮＢ、ＧＡＮ制御装置、フェムト基地局制御装置などのようなネットワーク制御装置ノード（ＮＣＮ）２０に送信される。ＮＣＮ２０は、ロケーションやＩＰアドレスなどのような移動局１０の情報を有しており、その情報でＮＣＮ２０が移動局のロケーションを決定するのを可能にしている。例えば、その情報は、その移動局が一時的に滞留／接続されるアクセスポイント（ＡＰ）のセルのロケーション情報を有していると良い。その移動局は、移動体電話、ＰＤＡなどのようなどんなユーザ機器でも良い。
【００２０】
ＮＣＮ２０は、決定されたロケーションとその緊急通報において示された影響を受けるエリアとを比較する。もし、その移動局が影響を受けるエリア内にいると判断されたなら、緊急事態を示すメッセージがＡＰを介してその移動局に送信される。
【００２１】
ＮＣＮ２０は、ＧＡＮセル、フェムトセル、ピコセル、マイクロセルなどのようなセルを含む複数のアクセスポイント（ＡＰ）を制御するよう構成される。例えば、そのＡＰはインターネットのようなＩＰネットワークを介してＩＰ接続によりＮＣＮ２０に接続されると良い。ＮＣＮ２０はさらに、ＵＭＴＳ  Ｉｕインタフェースなどのような汎用インタフェースにより通信ネットワークに接続される。
【００２２】
図２は緊急通報システムの模式的な概要を開示している。図示された例はＧＡＮセル内の移動局に関したものである。しかしながら、同様の解決策でフェムトセル、ピコセル、マイクロセルなどの内にある移動局にも達することができる。
【００２３】
そのシステムは、地震などのような緊急事態の兆候を検出するために構成された検出ユニット２を有している。検出ユニット２は検出時に、緊急通報が、例えば、地震や津波などにより影響を受けるエリア（ＡＡ）内にいる移動局に配信される必要があるという検出インジケータを送信する。
【００２４】
そのインジケータはセル同報センタ（ＣＢＣ）３０に送信される。ここで、そのインジケータは監視センタからマニュアルで入力などがされてＣＢＣ３０に送信されても良いことを理解されたい。そのインジケータは有線ネットワーク、無線ネットワークなどを介してＣＢＣ３０に配信されると良い。
【００２５】
ＣＢＣ３０では、ＥＴＷＳが影響を受けるエリア内にいる移動局に同報される必要があると判断する。その影響を受けるエリアは、例えば、監視システムなどからのインジケータで外部から情報が伝えられたＣＢＣ３０内で決定されても良い。そのエリアは、検出レベルなどに基いていると良い。例えば、影響を受けるエリアは、地震などからの地震エネルギーの測定量に基いていると良い。
【００２６】
ＥＴＷＳメッセージが創成され、そのＥＴＷＳメッセージに影響を受けるエリアを示すインジケータが付加される。
【００２７】
それから、ＥＴＷＳメッセージが影響を受けるエリア内の基地局に同報されるが、その影響を受けるエリア内の１つ以上のＧＡＮ制御装置（ＧＡＮＣ）にも同報される。それから、ＥＴＷＳメッセージは影響を受けるエリアの基地局（ＢＳ）のセル内にいる複数の移動局１２に同報される。
【００２８】
ＧＡＮ（汎用アクセスネットワーク：Generic Access Network）はＩＰアクセスネットワークによる移動体サービスを拡張する通信システムである。ＧＡＮシステムの下では、移動局が、例えば、ＷＬＡＮ（無線ＬＡＮ）のＡＰ（アクセスポイント）を検出すると、その移動局はそのネットワークにあるＧＡＮＣと呼ばれるサーバに対して、ゲートウェイを介して機密保護されたＩＰ接続を確立する。ＧＡＮＣはハンドセットから到来する信号を変換して、他の基地局から到来するものであるように思わせる。今日のＧＡＮＣはセル同報サービス（ＣＢＳ）メッセージをＧＡＮモードにある移動局に送信する。ＧＡＮモードにある移動局はＧＡＮ登録時にそのように要求している。従って、ＥＴＷＳ警報通報はＧＡＮモードにある移動局に、ＧＡ−ＲＣ（リソース制御）ＣＥＬＬ  ＢＲＯＡＤＣＡＳＴ  ＩＮＦＯメッセージにおいて送信される。しかしながら、他のエリアにおいてパニック状態を回避するために、影響を受けるエリアに位置する移動局にだけＥＴＷＳ警報通報を送信することが重要であり、影響を受けるエリアにのみＥＴＷＳ警報通報メッセージを送信するメカニズムが定義されることが必要である。
【００２９】
移動局が同報された情報を受信するために、移動局は、その移動局が、例えば、ＧＡ−ＲＣ  ＲＥＧＩＳＴＥＲ  ＲＥＱＵＥＳＴなどで、登録或いは登録更新中にＧＡＮＣへセル同報サービスを要求することを示しているＧＡＮサービス要求情報を含む。それから、ＧＡ−ＲＣ  ＣＥＬＬ  ＢＲＯＡＤＣＡＳＴ  ＩＮＦＯメッセージはＧＡＮＣから、要求ＧＡＮサービスＩＥ（情報要素）において示されたＣＢＳを受信することを要求することを示した移動局にのみ送信される。
【００３０】
例えば、ＥＴＷＳ警報通報を影響を受ける地理的なエリアにいるＧＡＮモードにある移動局に送信するメカニズムが、ここで開示される。その方法では、他のエリアにいる移動局は対応するＥＴＷＳ警報通報を受信することはないであろうし、従って、不必要な混乱をそこで回避している。それ故に、ここでのいくつかの実施例は、
Ｉ．ＣＢＣからのＧＡＮＣにより受信される影響を受けるエリアについての情報は最新のＧＡＮ登録或いはＧＡＮ登録更新手順で移動局の受信した情報と比較されることを、そして、
II．ＥＴＷＳ警報通報メッセージは要求されたＧＡＮサービスＩＥにおいて示された現存するＣＢＣが要求する情報とは独立に送信されることを
開示している。
【００３１】
図２に戻って説明を続けると、ＣＢＣ３０はＥＴＷＳメッセージをＧＡＮＣ２０に同報する。ＧＡＮＣ２０はＥＴＷＳと影響を受けるエリア（ＡＡ）を示すインジケータとを読み込み、影響を受けるエリア（ＡＡ）と移動局１０のレポートされた位置とを比較する。ＧＡＮＣは移動局が影響を受けるエリア内にいると判断する。移動局１０の位置は、アクセスポイント（ＡＰ）や移動局などからの情報に基いて決定されると良い。
【００３２】
例えば、ＥＴＷＳメッセージを含む緊急メッセージは、移動局がセル同報サービスを要求したかどうかに関係なく、移動局に送信される。
【００３３】
同様の問題が、異なるフェムトセルの解決策、例えば、ＧＳＭ、ＷＣＤＭＡ、ＬＴＥフェムトの解決策などの場合にも存在する。また、これらのセルはエンドユーザによりほとんどどこにでも、運用者との相互関係なく、展開されるかもしれない。そのようなものとして、フェムトセルの内のどれが影響を受けるエリアにいるのか、そして、ＥＴＷＳ警報通報がどこに転送されるべきであるのかを知る必要もある。
【００３４】
それ故に、いくつかの実施例では、例えば、ＣＢＣからのネットワーク制御装置ノードにより受信される、影響を受けるエリアについての情報が、自動構成設定手順中にホーム基地局により受信される情報と比較されることを開示する。
【００３５】
図３はＧＡＮ解決策の例を開示している。
【００３６】
ステップＳ１では、ＣＢＣ３０のような同報ノードが、警報メッセージが数多くの移動局に配信される必要があることを登録する。ＣＢＣがＥＴＷＳメッセージを創成して、そのＥＴＷＳメッセージに影響を受けるエリア情報でマークを付ける。
【００３７】
ステップＳ２では、ＧＡＮＣ２０は、影響を受ける地理的エリア内でＥＴＷＳ警報通報（一次、或いは二次）の送信要求を、セル同報センタ（ＣＢＣ）３０から受信する。ＧＡＮＣはそのメッセージを、それがＧＡＮＣ２０に入力されたときにはＥＴＷＳ警報通報には“影響を受けるエリア”の情報でマークが付けられているので、他のエリアにいる移動局には送信しない。
【００３８】
ステップＵ１で、ＧＡＮＣは移動局（ＭＳ）１０の現在の位置を示すＧＡＮ登録或いはＧＡＮ登録更新手順で、移動局（ＭＳ）１０からの情報を受信する。その情報は、最新のＧＡＮ登録或いはＧＡＮ登録更新手順で移動局（ＭＳ）１０が影響を受けるＧＥＲＡＮ（或いはＵＴＲＡＮ）セルに位置していることを示し、最新のＧＡＮ登録或いはＧＡＮ登録更新手順で移動局（ＭＳ）１０が影響を受けるエリアに位置するネットワーク（ＧＡＮＣ）により知られるアクセスポイント（ＡＰ）に位置していることを示し、最新のＧＡＮ登録或いはＧＡＮ登録更新手順で影響を受けるエリア内、例えば、ＣＢＣから受信されるアドレスされたセルのいずれかに位置している、例えば、緯度経度などの地理的ロケーションを示す情報などを含んでいるかもしれない。
【００３９】
ステップＳ３では、ＧＡＮＣ３０はその時、最新のＧＡＮ登録或いはＧＡＮ登録更新手順で移動局から受信した情報を用いて、影響を受けるエリアと移動局（ＭＳ）１０のロケーションエリアとを比較することにより、どの移動局にＥＴＷＳ警報通報メッセージを送信するのかを決定する。
【００４０】
ステップＳ４では、ＧＡＮＣ３０は、影響を受けるエリアにいるＧＡＮモードにある全ての移動局に対して、ＥＴＷＳ一次通報を含むメッセージを送信する。ＧＡＮＣから移動局へのＥＴＷＳ警報通報を含むメッセージは、現存する“セル同報”メッセージ、ＧＡ−ＲＣ  ＣＥＬＬ  ＢＲＯＡＤＣＡＳＴ  ＩＮＦＯ、新しく定義されたメッセージなどであると良い。
【００４１】
ＧＡＮＣ２０がＥＴＷＳ警報通報を影響を受けるエリアにのみ送信するように制限するメカニズムは、ＣＢＣにより示唆されるように、ＧＡＮ登録或いはＧＡＮ登録更新手順において移動局１０から受信する情報を用いることである。そのとき、ＧＡＮＣ２０はＥＴＷＳ警報通報を以下の移動局にのみ送信する。即ち、
・最新のＧＡＮ登録或いはＧＡＮ登録更新手順で影響を受けるＧＥＲＡＮ（或いはＵＴＲＡＮ）セルの１つに位置していることを示す移動局と、
・影響を受けるエリアに位置するネットワーク（ＧＡＮＣ）により知られるアクセスポイントに位置することが最新のＧＡＮ登録或いはＧＡＮ登録更新手順で示した移動局と、
・影響を受けるエリア（ＣＢＣから受信したアドレスされたセルのいずれか）の内にある地理的な位置（例えば、緯度経度）を最新のＧＡＮ登録或いはＧＡＮ登録更新手順で示した移動局との内の少なくともいずれかにである。
【００４２】
今日の多くの移動局は、ユーザがその種のサービスをスイッチオフしたためにＣＢＳサービスが要求されていないことを示している。いくつの実施例では、ＧＡＮＣ２０は、（要求されたＧＡＮサービスＩＥにおいて示される）現存するＣＢＳが要求する情報に係わらず、移動局にＥＴＷＳ警報通報を送信する。代替の実施例では、付加的な情報が、移動局がＥＴＷＳ警報通報の受信をサポートしているかどうかを示す要求ＧＡＮサービスＩＥに付加される。そのとき、ＧＡＮＣ２０はＥＴＷＳをサポートしており（そして、影響を受けるエリアにいる）移動局にだけＥＴＷＳ警報通報を送信するであろう。いくつかの移動局がＥＴＷＳ警報通報をサポートできない理由は、ある種の完全性チェック情報が導入されて偽の警報通報が移動局により受信されるのを回避するためであるかもしれないということにある。
【００４３】
ＧＡＮＣ２０が移動局の位置に気付くようになるための付加的なメカニズムは、ＭＳとＧＡＮＣとの間で（また、あるシナリオでは破線で示すように、ＭＳとセキュリティゲートウェイ（ＳＥＧＷ）４０との間で）、トランスポートネットワークにより提供されるようなロケーション情報を用いることにあろう。例えば、ＳＥＧＷ４０は公開ＩＰアドレスをみて、ＭＳ１０がＳＥＧＷ４０に向かう通信において使用中であることを理解するかもしれない。このＩＰアドレスはいくつかのシナリオでは、用いられるアクセスポイントと、（アクセスポイントのカバレッジは相対的に小さいので）そのアクセスポイントを用いている移動局１０のロケーションを見いだすのに用いられるかもしれない。さらにその上、ＳＥＧＷ４０は、局所的に構成設定された情報、或いは、別のデータベースを用いているかもしれないＧＡＮＧ２０に対するＩＰアドレスと通信を行って、ＩＰアドレスに基づいたロケーションを見いだすかもしれない。
【００４４】
図４では、フェムトによる解決策の例が示される。
【００４５】
フェムトによる解決策ではＧＡＮの場合のような類似のネットワーク制御装置が存在する。ＧＳＭフェムトの場合、このノードはフェムト基地局制御装置（ＢＳＣ）であり、ＷＣＤＭＡフェムトによる解決策では、このノードはホームノードＢゲートウェイであり、ＬＴＥフェムトによる解決策では、そのノードはホームｅノードＢゲートウェイである。次の説明では、このノードはネットワーク制御装置ノード（ＮＣＮ）２０と呼ばれる。
【００４６】
ステップＴ１では、セル同報センタ（ＣＢＣ）３０は、警報通報が一定の影響をうけるエリア内の移動局に送信されるべきであることを決定する。フェムトＢＳＣなどのようなＮＣＮ２０では他のエリアに位置している別のフェムトセルにそのメッセージを送信することはない。それ故に、ここでは、ＥＴＷＳ警報通報は“影響を受けるエリア”情報でマークが付されねばならないことを開示する。
【００４７】
ステップＴ２では、ＮＣＮ２０は、その影響を受ける地理的なエリア内でＥＴＷＳ警報通報（一次、或いは、二次）の送信要求を、例えば、ＣＢＣ３０から受信する。
【００４８】
ステップＲ１では、ＮＣＮ２０は、例えば、自動構成設定手順の間に、フェムトセル（或いは、本当は制御しているホーム基地局４２）から情報を受信する。そのホーム基地局は周辺の移動体ネットワークのカバレッジをスキャンし、この情報を自動構成設定手順の一部としてネットワーク制御装置にレポートするＭＳ受信器を含んでいても良いと仮定している。
【００４９】
レポートされた周辺移動体ネットワークのカバレッジは、例えば、
・例えば、セルグローバル識別子（ＣＧＩ）とルーティングエリア識別子（ＲＡＩ）との内の少なくともいずれかで識別される１つ以上のＧＥＲＡＮ／ＧＳＭセル、
・例えば、ロケーションエリア識別子（ＬＡＩ）とルーティングエリア識別子（ＲＡＩ）との内の少なくともいずれかと、３Ｇセル識別子で識別される１つ以上のＵＴＲＡＮ／ＷＣＤＭＡセル、
・例えば、追跡エリア識別子（ＴＡＩ）とＥ−ＵＴＲＡＮセルグローバル識別子（ＥＣＧＩ）で識別される１つ以上のＥ−ＵＴＲＡＮ／ＥＰＳセル、或いは、
・上記の内のいずれかの組み合わせとから
構成されると良い。
【００５０】
また、レポートされた移動体ネットワークのカバレッジについての情報は（即ち、ホーム基地局におけるＭＳ受信器により検出されるように）、別のネットワークノード、例えば、自動構成設定サーバ（ＡＣＳ）と呼ばれるノードにレポート／シグナリングされると良い。このノードは、局所的に或いはネットワークデータベースにおいて受信した情報を格納し、ネットワーク制御装置ノードに対して、その情報を利用可能にすると良い。
【００５１】
加えて、ホーム基地局（ＨＢＳ）４２はまた、例えば、緯度経度などとして、地理的な位置を、直接にＮＣＮ２０に対して、或いは、ＡＣＳに対して示し、この情報がＮＣＮ２０に対して利用可能にすると良い。
【００５２】
ステップＴ３では、ＥＴＷＳ警報通報は、それがＮＣＮ２０に入力されるとき、“影響を受けるエリア”でマークが付されているので、ＮＣＮ２０はフェムトセル（或いは、本当は制御しているホーム基地局）から受信した情報を用いる。この情報は、ＥＴＷＳ警報通報が転送されるべき影響を受けるエリアにフェムトセル（それ故に、そこにＭＳが一時的に滞留／接続している）が位置しているかどうかについて決定するために用いられる。
【００５３】
ＮＣＮ２０がホーム基地局の位置に気付くようになるための付加的なメカニズムとは、ＨＢＳ４２とＮＣＮ２０との間（或いは、いくつかのシナリオではＨＢＳ４２とセキュリティゲートウェイ（ＳＥＧＷ）４４との間）のトランスポートネットワークにより提供されるようなロケーション情報を用いることである。例えば、ＳＥＧＷ４４は公開ＩＰアドレスをみて、ＨＢＳ４２がＳＥＧＷ４０に向かう通信において使用中であることを理解するかもしれない。このＩＰアドレスはいくつかのシナリオでは、ホーム基地局のロケーションを見いだすのに用いられるかもしれない。さらにその上、ＳＥＧＷ４０は、さらに局所的に構成設定された情報、或いは、別のデータベースを用いているかもしれないＮＣＮ２０に対するＩＰアドレスと通信を行って、そのＩＰアドレスに基づいたロケーションを見いだすかもしれない。
【００５４】
ステップＴ４では、ＮＣＮ２０は、影響を受けるエリアにある全てのフェムトセルに対してＥＴＷＳ一次通報を含むメッセージを送信し、そして、これらのフェムトセルは、そのフェムトセルでアイドル状態で一時的に滞留している全ての移動局か、或いは、アクティブ状態でそのフェムトセルに接続されている移動局に、（同報、ユニキャスト、或いは、マルチキャストで）その通報を送信する。
【００５５】
ＥＴＷＳ警報通報は、ＧＡＮモードにある移動局が上述のような影響を受ける地理的なエリアにいる場合にのみ、それらの移動局に送信される。同じことがフェムトセルにも適用される。即ち、影響を受ける地理的なエリアにあるフェムトセルだけがＥＴＷＳ警報通報をこれらのフェムトセルに一時的に滞留しているか接続されている移動局に転送する。
【００５６】
図５には、通信システムにおいて移動局に緊急メッセージを送信するネットワーク制御装置ノードにおける方法の図式的な概要が示されている。移動局はアクセスポイントのセルにおいてアクティブ／一時的に滞留している。そのセルはマイクロ／ピコセルのような限定された範囲のセルであるかもしれない。さらにその上、そのセルは、移動局がマクロセルにおける制御チャネルを聴取していないセルであるかもしれない。そのセルは、ＧＡＮセル、フェムトセルなどであるかもしれない。これらのセルは、知られたロケーションをもたないエンドユーザがインストールしたセルである。
【００５７】
ステップＡ１では、ネットワーク制御装置は移動局の情報を受信する。その情報は移動局から直接にくるもの、ＧＡＮノード（例えば、ＷＬＡＮ  ＡＰ）のようなネットワークノード、フェムトノード、セキュリティゲートウェイ、Ｏ＆Ｍノードなどからくるものであるかもしれない。例えば、いくつかの実施例では、フェムト基地局は移動局の情報を、その情報を格納するＯ＆Ｍノードに送信し、ネットワーク制御装置ノードはＯ＆Ｍノードからその情報を取り出す。
【００５８】
その情報は、セル識別子、アクセスポイント識別子、ＩＰアドレス、ロケーションエリア識別子、追跡エリア識別子、ルーティングエリア識別子、緯度経度のような地理的データなどを有しているかもしれない。例えば、その情報は、移動局が一時的に滞留し／アクティブであるアクセスポイントのＩＰアドレスを有しており、そのＩＰアドレスは用いられているアクセスポイントとそのアクセスポイントを用いている移動局のロケーションを見いだすために用いられるかもしれない。
【００５９】
いくつかの実施例では、ネットワーク制御装置ノードは、移動局が緊急メッセージの受信をサポートしていることを示す移動局からの示唆を受信する。この情報は、ネットワーク制御装置ノードで格納され、緊急情報の送信中に取り出されるかもしれない。この示唆はメッセージなどで送信されると良い。
【００６０】
ステップＡ２では、ネットワーク制御装置ノードは、受信された情報に基いて、移動局のロケーションを決定する。例えば、ホーム基地局（ＨＢＳ）のロケーションは、ＨＢＳとネットワーク制御装置ノードとの間のトランスポートネットワークにより提供されるように、移動局の位置を決定するのに用いられる。ＨＢＳが通信において用いている公開ＩＰアドレスがいくつかのシナリオで用いられて、ホーム基地局の位置、結果的には移動局の位置を見出すと良い。
【００６１】
ステップＡ３では、ネットワーク制御装置ノードは、影響を受けるエリアを示すインジケータを含む緊急通報を受信する。
【００６２】
ステップＡ４では、ネットワーク制御装置ノードは、示された影響を受けるエリアと比較される判断されたロケーションに基いて、移動局が示された影響を受けるエリア内にいることを判断する。
【００６３】
ステップＡ５では、その判断されたロケーションが影響を受けるエリア内にあるなら、ネットワーク制御装置ノードは、緊急メッセージを移動局に送信する。いくつかの実施例では、その緊急メッセージは、現存するセル同報システムの設定やＣＢＳが要求する情報に係わりなく、移動局に送信される。
【００６４】
いくつかの実施例では、緊急メッセージは緊急通報を含む。いくつかの実施例では、その緊急メッセージは緊急通報とは分離された別のメッセージであることを理解されたい。
【００６５】
いくつかの実施例では、その緊急通報は、地震津波警報システム（ＥＴＷＳ）の通報を含む。
【００６６】
その方法を実行するために、ネットワーク制御装置ノードが備えられる。
【００６７】
図６には、ネットワーク制御装置ノード２０の図式的な概要が示されている。ネットワーク制御装置ノード２０は、フェムトＢＳＣ、ＧＡＮ制御装置、ＨＮＢゲートウェイ、ＨｅＮＢゲートウェイ、フェムトＲＮＣなどを含むかもしれない。ネットワーク制御装置ノード２０は、ＩＰネットワークによりその制御装置ノードに接続される複数のセルのアクセスポイントを制御するか、或いは、ＩＰネットワークにより複数の移動局と直接に通信するように構成されている。そのセルはマイクロ／ピコ／ＧＡＮ／フェムトセルなどを含んでいるかもしれない。
【００６８】
ネットワーク制御装置ノード２０は、影響を受けるエリアを示すインジケータを含む緊急通報を受信するよう構成された第１のネットワークインタフェース２０７を有している。第１のネットワークインタフェース２０７は、Ｉｕインタフェースなどのような標準化されたインタフェースを用いて、ネットワーク制御装置ノード２０を通信コアネットワークに接続するように構成される。ネットワーク制御装置ノード２０はさらに、ネットワーク制御装置ノード２０を少なくとも１つの（或いはそれ以上の）アクセスポイントに接続する第２のネットワークインタフェース２０９を有している。ここで、いくつかの実施例では、第２のネットワークインタフェース２０９は、少なくとも１つのアクセスポイントのセル内にある移動局の情報を受信するように構成されている。例えば、第２のネットワークインタフェース２０９は、ＩＰによるｌｕｈインタフェースなどを有しているかもしれない。また、そのネットワーク制御装置は、Ｏ＆Ｍノードなどの第３の通信ノードから異なるインタフェースにより、この情報を受信するよう構成されているかもしれない。
【００６９】
いくつかの実施例では、そのネットワーク制御装置ノードは、移動局が緊急メッセージの受信をサポートしていることを示す示唆をその移動局から受信するよう構成されている。この情報はそのネットワーク制御装置ノードにおいて格納され、緊急情報の送信中に取り出されると良い。
【００７０】
さらにその上、ネットワーク制御装置ノードは、受信情報に基いて移動局の位置を決定し、その決定された位置に基いて移動局が示された影響を受けるエリア内にいることを判断するよう構成される制御ユニット２０１を有している。このことは、示された影響を受けるエリアと決定されたロケーション／セルエリアとを比較することによりなされると良い。その受信情報は、セル識別子、アクセスポイント識別子、移動局／アクセスポイントのＩＰアドレス、ロケーションエリア識別子、追跡エリア識別子、ルーティングエリア識別子、緯度経度のような地理的データベースなどを有しているかもしれない。
【００７１】
受信された情報は直接また間接に移動局のロケーションを示すことができる。例えば、フェムトセルを用いる場合、フェムト基地局は、ＭＳの代わりにネットワーク制御装置ノードに情報を直接に、或いは、別のノードを経由して提供する。例えば、フェムト基地局がその情報を、その情報が格納されるＯ＆Ｍノードに送信し、後になってネットワーク制御装置ノードがその情報を用いて、緊急メッセージをどこに受け渡せばよいのかを決定するときに、そのようにするのである。これはさらに、緊急事態の示唆がフェムトセルに一時的に滞留しているか、或いは、アクティブである全ての移動局に対して送信されるように用いられる。その情報はまた、セキュリティゲートウェイなどから送信されても良い。
【００７２】
組み合わされた解決策では、ＭＳはその情報をネットワークに提供し、そして、この場合には、ネットワークが受信情報を用いて、フェムトセル或いはＧＡＮセルで一時的に滞留しているか、アクティブにある全てのＭＳが緊急メッセージを受信する必要があることを判断する。そのとき、現在使用中のフェムト或いはＧＡＮセルについて情報は、ＭＳ、或いは、基地局／アクセスポイントから到来するかもしれない。
【００７３】
加えて、そのときの制御ユニット２０１は、移動局が影響を受けるエリアにあると判断されたとき、第２のネットワークインタフェース２０９により移動局に対してアクセスポイントを介して緊急メッセージを送信する。その緊急メッセージは、進行中の緊急通報を有しているかもしれない。例えば、その通報は、単に転送された通報、或いは、無線アクセスネットワークにおいて創成されたユニークな異なるメッセージであるかもしれない。その緊急メッセージは、移動局が同報ユニット／ネットワーク制御装置ノードにおける同報サービスの登録された受信器であるかどうかに係わらず、送信される。
【００７４】
制御ユニット２０１は、中央処理ユニット、単一の処理ユニット、複数の処理ユニットなどを有していると良い。
【００７５】
さらにその上、ネットワーク制御装置ノード２０は、いくつの実施例では、メモリユニット２０５を有しているかもしれない。メモリユニット２０５は、移動局などのロケーションを示す情報のようなデータをそこに格納する。さらにその上、制御ユニット２０１で実行されるときに、上述の方法を実行するアプリケーションをそこに格納しても良い。
【００７６】
メモリユニット２０５は、単一のメモリユニットと、複数のメモリユニットと、外部メモリユニットと、内部メモリユニットとの内の少なくともいずれかを有していると良い。
【００７７】
方法及び装置（システム）のブロック図とフローチャートとの内、少なくともいずれかを参照していくつかの実施例を説明した。そのブロック図とフローチャートとの内の少なくともいずれかにおけるいくつかのブロックと、そのブロック図とフローチャートとの内の少なくともいずれかにおける複数のブロックの組み合わせとは、コンピュータプログラム命令によって実現されるものであることを理解されたい。これらのコンピュータプログラム命令は、汎用コンピュータと専用コンピュータと他のプログラム可能なデータ処理装置との内の少なくともいずれかのプロセッサに供給され、そのコンピュータと他のプログラム可能なデータ処理装置との内の少なくともいずれかのプロセッサを介して実行する命令が、ブロック図において特定される機能／動作と１つ以上のフローチャートのブロックとの内の少なくともいずれかを実現するための手段を創成するようにマシーンを構築することができる。
【００７８】
これらのコンピュータプログラム命令はまた、コンピュータ可読メモリに記憶され、これらのメモリにより、そのコンピュータ可読メモリに記憶された命令が、ブロック図において特定される機能／動作と１つ以上のフローチャートのブロックとの内の少なくともいずれかを実現する命令を含む製品を作り出すように機能するよう、コンピュータまたは他のプログラム可能なデータ処理装置に命令することができる。
【００７９】
また、そのコンピュータプログラム命令をコンピュータや他のプログラム可能なデータ処理装置にロードし、そのコンピュータや他のプログラム可能な装置で一連の動作ステップが実行されるようにして、そのコンピュータや他のプログラム可能な装置で実行する命令が、ブロック図において特定される機能／動作と１つ以上のフローチャートのブロックとの内の少なくともいずれかを実現するステップを提供するように、コンピュータが実行する処理を作り出すことができる。
【００８０】
いくつかの実施例では、ブロックに記された機能／動作は、その動作の例示で記された順序以外で実行しても良い。例えば、時間的に継続して示された２つのブロックは、実際は実質的に同時に実行しても良いし、または、ブロックが関与する機能／動作に依存して、時には逆の順序で実行されても良い。
【００８１】
図面と明細書において、本発明の代表的な実施例について開示した。しかしながら、これらの実施例に対して本発明の原理から実質的に逸脱することなく、多くの変形例と態様とを作ることができる。従って、特定の用語が使用されているが、それらは一般的かつ記述的意味だけで使用されているのであって、本発明の限定を目的とするものではない。本発明の範囲は以下に続く請求の範囲によって規定されるものである。
【図１】
0005379231.tif 000002
【図２】
0005379231.tif 000003
【図３】
0005379231.tif 000004
【図４】
0005379231.tif 000005
【図５】
0005379231.tif 000006
【図６】
0005379231.tif 000007